(57)【要約】【課題】利用者が乗りかごを利用して所定の階に出向き、その後にその階から移動する場合に、利用者が携帯物の持ち帰りを失念していることを報知することができるエレベータ装置を提供することにある。【解決手段】利用者が乗りかごに乗り込む時に携帯物の携帯物情報を利用者データベースに記憶させ、利用者が所定階で降りて再び乗りかごに乗り込む時の携帯物の携帯物情報を利用者データベースに記憶された携帯物情報と比較し、比較結果が一致しないと携帯物の持ち帰りを失念したとして利用者に報知する。これによれば、利用者が携帯物の持ち帰りを失念している場合にそのことを利用者に報知することができ、利用者は引き返して携帯物を持ち帰るという不要な行動をとらずに済むものである【選択図】図１
2016030673.tif 000002
【特許請求の範囲】
【請求項１】
昇降路に配置され利用客を搬送する乗りかごと、前記乗りかごを昇降させるために前記乗りかごとロープを介して連結された巻上機用電動機と、前記巻上機用電動機の作動を制御する制御装置を備えたエレベータ装置において、
前記制御装置は、
利用者が前記乗りかごに乗り込む時に前記利用者が携帯している携帯物の携帯物情報を利用者データベースに記憶させる記憶機能部と、
前記利用者が所定階で降りて再び前記乗りかごに乗り込む時に前記利用者の前記携帯物の新しい携帯物情報を前記利用者データベースに記憶された前記携帯物情報と比較する判定機能部と、
前記判定機能部による比較結果が一致しないと前記利用者が前記携帯物の持ち帰りを失念したとして利用者に報知する報知機能部と
を備えていることを特徴とするエレベータ装置。
【請求項２】
請求項１に記載のエレベータ装置において、
前記記憶機能部は、利用者がエントランス階で前記乗りかごに乗り込む時に前記利用者が携帯している前記携帯物の携帯物情報を前記利用者データベースに記憶させる記憶機能部であり、
前記判定機能部は、前記利用者が前記エントランス階以外の階で降りて再び前記エントランス階以外の階から前記乗りかごに乗り込む時に前記利用者の前記携帯物の新しい携帯物情報を前記利用者データベースに記憶された前記携帯物情報と比較する判定機能部である
ことを特徴とするエレベータ装置。
【請求項３】
請求項１に記載のエレベータ装置において、
前記記憶機能部は、前記利用者が第１の所定階で前記乗りかごに乗り込む時に前記利用者が携帯している前記携帯物の携帯物情報と、前記第１の所定階の階数及び現在の時刻を利用者データベースに記憶させる記憶機能部であり、
前記判定機能部は、前記利用者が第２の所定階で降りて再び前記第２の所定階から前記乗りかごに乗り込む時の前記利用者の前記携帯物の新しい携帯物情報と、前記第２の所定階の階数及び現在の時刻を、前記利用者データベースに記憶された前記携帯物の携帯物情報と、前記第１の所定階の階数及び時刻と比較する判定機能部であり、この判定機能部は前記第１の所定階と前記第２の所定階の階数が一致せず、しかも時刻が所定時間経過している場合に、前記第１の所定階で読み込んだ前記携帯物の携帯物情報と前記第２の所定階で読み込んだ前記携帯物の携帯物情報を比較する
ことを特徴とするエレベータ装置。
【請求項４】
請求項１乃至請求項３のいずれかに記載のエレベータ装置において、
前記携帯物の携帯情報は前記携帯物の種類を表す情報を含んでおり、前記判定機能部は前記携帯物の種類を表す情報から持ち帰りを失念した前記携帯物を判断し、前記報知機能部は前記判定機能部からの判断によって前記携帯物の種類を報知する
ことを特徴とするエレベータ装置。
【請求項５】
請求項１乃至請求項３のいずれかに記載のエレベータ装置において、
前記記憶機能部は、前記利用者が前記乗りかごに乗り込む時の前記利用者本人の認証情報と前記携帯物の所有者であることを示す利用者認証情報及び前記携帯物情報を前記利用者データベースに記憶させ、
前記判定機能部は、前記利用者が再び前記乗りかごに乗りこむ時の前記利用者本人の前記認証情報と前記携帯物の前記利用者認証情報及び前記携帯物情報を、前記記憶機能部に記憶された前記利用者本人の前記認証情報と前記携帯物の前記利用者認証情報及び前記携帯物情報と比較する
ことを特徴とするエレベータ装置。
【請求項６】
請求項１乃至請求項５のいずれかに記載のエレベータ装置において、
前記制御装置は、前記判定機能部によって前記利用者が前記携帯物の持ち帰りを失念したと判断された時に、前記乗りかごの開閉扉を所定時間だけ開く扉開閉機能部を備えている
ことを特徴とするエレベータ装置。
【請求項７】
建築物に設けられた昇降路に配置された利用者を搬送する乗りかごの作動を制御する制御装置を備えたエレベータ装置と、前記建築物とは異なる建築物に設けられた昇降路に配置された利用者を搬送する乗りかごの作動を制御する制御装置を備えたエレベータ装置と、前記それぞれの制御装置を接続する通信ケールとを備え、
どちらか一方の前記制御装置は、利用者が前記乗りかごに乗り込む時に前記利用者が携帯している携帯物の携帯物情報を読み取って前記他方の制御装置に前記通信ケーブを介して転送し、更に前記利用者が所定階で降りて再び前記乗りかごに乗り込む時に前記利用者の前記携帯物の新しい携帯物情報を読み取って前記他方の制御装置に前記通信ケーブを介して転送し、
前記他方の制御装置は、転送されてきた前記利用者が携帯している前記携帯物の携帯物情報を利用者データベースに記憶させ、更に前記転送されてきた前記利用者が前記所定階で降りて再び前記乗りかごに乗り込む時の前記携帯物の新しい携帯物情報を前記利用者データベースに記憶された前記携帯物情報と比較し、比較結果が一致しないと前記一方の制御装置に前記利用者が前記携帯物の持ち帰りを失念したとして利用者に報知する失念情報を転送し、
前記一方の制御装置は前記失念情報に基づいて前記利用者が乗り込んでいる前記乗りかごの報知装置を使用して前記利用者に報知する
ことを特徴とするエレベータシステム。
【発明の詳細な説明】
【技術分野】
【０００１】
本発明はエレベータ装置及びエレベータシステムに係り、特に利用者に対するサービス性を向上したエレベータ装置及びエレベータシステムに関するものである。
【背景技術】
【０００２】
通信技術やコンピュータ技術の発達により、近年のエレベータ装置では利用者に対して種々のサービスが行われている。特に、最近では利用者の個人情報を用いて乗りかごの開閉扉やスピーカ等の報知装置の制御が行われている。このような利用者へのサービスの一例として以下に述べるようなものが提案されている。
【０００３】
例えば、特開２００６−２７３５２０公報（特許文献１）においては、ＩＣタグを携帯するエレベータ利用者が目的階以外の階でエレベータの乗りかごから降車しようとしたときに、その階は目的階でないことをエレベータ利用者に報知し、エレベータ利用者が目的階以外の階で乗りかごから降車することを防止できるようにしたエレベータ装置が提案されている。
【０００４】
このように、ＩＣタグを利用すると利用者を特定することができるので、エレベータ装置に利用者毎のデータベースを構築し、このデータベースから利用者に様々の情報を提供することができる。また、利用者に対して乗りかごの移動先の決定や開閉扉の開閉等に関するサービス性も向上することができる。
【先行技術文献】
【特許文献】
【０００５】
【特許文献１】特開２００６−２７３５２０公報
【発明の概要】
【発明が解決しようとする課題】
【０００６】
ところで、ビジネスビル等の建築物に入居している利用者が別の階での会議に出席する場合、利用者は利用している階からエレベータ装置を利用して別の階の会議室に出向いて会議を行い、会議が終了すると元の階に戻るという行動をとることになる。
【０００７】
また、利用者が自身の勤務する会社の別の事業所に出張した場合、利用者は事業所の玄関（エントランス階）から入ってエレベータ装置を利用して所定階の会議室に出向き、会議が終了すると玄関（エントランス階）に戻るという行動をとることになる。
【０００８】
更には、利用者が顧客と打ち合わせる場合、利用者が入居している建築物から顧客が入居している他の建築物の所定階にエレベータ装置を利用して出向き、所用を済ました後に利用者の入居している建築物に戻るという行動をとることになる。
【０００９】
このように、一般的に会議や打ち合わせに出向く場合は、利用者は会議や打ち合わせに必要な携帯型コンピュータ（パーソナルコンピュータ、タブレット）、ノート、筆記具等を携帯し、更に雨が降っているときは傘等（以下では、総称して携帯物と表記する）を携帯して会議や打ち合わせに臨むことになる。ここで、携帯物は上記した物品に限らず種々の物品があることは言うまでもない。
【００１０】
そして、会議や打ち合わせが終了すると、利用者は自らが利用している事務所に戻るわけであるが、その際に利用者が持参していた携帯物を持ち帰りせずに戻ることはよく経験するところである。したがって、携帯物の持ち帰りを失念したことに気付いた利用者は、再び会議室、或いは顧客の建築物まで引き返して携帯物を持ち帰るという行動をとることになる。このため、利用者の時間的な損失が大きくなるので、これを改善するサービスを行う必要がある。
【００１１】
本発明の目的は、利用者が乗りかごを利用して所定の階に出向き、所用を済ました後にその階から移動するため乗りかごに乗り込んだ時に、利用者が携帯物の持ち帰りを失念しているとその旨を報知してサービス性を向上するエレベータ装置及びエレベータシステムを提供することにある。
【課題を解決するための手段】
【００１２】
本発明の特徴は、利用者が乗りかごに乗り込む時に携帯物の携帯物情報を利用者データベースに記憶させ、利用者が所定階で降りて再び乗りかごに乗り込む時の携帯物の携帯物情報を利用者データベースに記憶された携帯物情報と比較し、比較結果が一致しないと携帯物の持ち帰りを失念したとして利用者に報知する、ところにある。
【発明の効果】
【００１３】
本発明によれば、利用者が携帯物の持ち帰りを失念している場合にそのことを利用者に報知することができ、これによって利用者は引き返して携帯物を持ち帰るという不要な行動をとらずに済むものである。これによって、エレベータ装置のサービス性を向上することができる。
【図面の簡単な説明】
【００１４】
【図１】本発明の第１の実施形態になるエレベータ装置の概略の構成図である。
【図２】図１に示すかご側制御装置、制御盤、及びデータベースの機能を説明するブロック図である。
【図３】図１に示す第１の実施形態で実施されるエントランス階での乗りこみ時の処理手順を示すフローチャートである。
【図４】図１に示す第１の実施形態で実施されるエントランス階以外での乗りこみ時の処理手順を示すフローチャートである。
【図５】本発明の第２の実施形態になるエレベータ装置で実施される第１の所定階での乗りこみ時の処理手順を示すフローチャートである。
【図６】本発明の第２の実施形態になるエレベータ装置で実施される第２の所定階での乗りこみ時の処理手順を示すフローチャートである。
【図７】本発明の第３の実施形態になるエレベータ装置の概略の構成図である。
【発明を実施するための形態】
【００１５】
以下、本発明の実施形態について図面を用いて詳細に説明するが、本発明は以下の実施形態に限定されることなく、本発明の技術的な概念の中で種々の変形例や応用例をもその範囲に含むものである。
【実施例１】
【００１６】
次に、本発明の第１の実施形態について図１乃至図４を用いて詳細に説明する。この実施例１は、利用者がエントランス階から所定階に移動し、所用を済ました後に再びエントランス階に戻る場合を想定している。そして、本実施例ではＲＦＩＤタグを用いた認証方法を用いて携帯物の持ち帰りの失念を検出する方法を採用している。
【００１７】
ＲＦＩＤ（Ｒａｄｉｏ Ｆｒｅｑｕｅｎｃｙ Ｉｄｅｎｔｉｆｉｃａｔｉｏｎ）は、電波を利用した非接触型の認識方法である。タグやラベルという形に加工されたアンテナ付ＩＣチップ（ＩＣタグと呼ばれることもある）であり、携帯物に貼り付けして使用される。このＩＣチップに対して情報の読み取りを行なう受信装置を乗りかごに設置して携帯物情報を読み取るものである。ＲＦＩＤタグに記憶されたＲＦＩＤタグ情報は、少なくとも携帯物の所有者である利用者の利用者認証情報（認証コード）、携帯物であること表す携帯物情報が記憶されている。もちろん、これ以外の附帯情報、例えば携帯物の種類等が記憶されていても良いものである。
【００１８】
本実施例の特徴は、エントランス階から乗りかごに乗り込む際に、利用者の携帯物に付与したＲＦＩＤタグ情報を読み込んでデータベースに一時記憶させ、エントランス階以外の階から乗りかごに乗り込む際に新しく読みこんだＲＦＩＤタグ情報と先に記憶したＲＦＩＤタグ情報とを比較し、不一致の場合は携帯物の持ち帰りを失念したとしてその旨を利用者に報知するものである。更に、望ましくはこれに加えて、所定時間だけ乗りかごの開閉扉を開くことで、利用者に携帯物を持ち帰るために乗りかごから降車する時間を与えることが可能となる。以下、具体的な例について説明する。
【００１９】
図１において、エレベータ装置は昇降路１０を昇降する乗りかご１１と、乗りかご１１を吊り下げているロープ１２を駆動して乗りかご１１を昇降路１０に沿って昇降させる巻上機用電動機１３を備えている。
【００２０】
また、乗りかご１１の天井側の内部には、乗りかご１１内の利用客に対して種々の情報を報知する放送機器（図示せず）や表示機器（図示せず）が設けられている。更に、乗りかご１１の天井側の外部には、乗りかご１１の開閉扉を制御する扉開閉電動機１４、及び放送機器、表示機器及び扉開閉電動機１４等を制御するかご側制御装置１５が設けられている。かご側制御装置１５はテールコード１６によって主制御装置１７と接続されており、テールコード１６を介して電力の供給や制御信号の通信等が行なわれている。
【００２１】
主制御装置１７は図示しないマイクロコンピュータよりなる本体制御装置を搭載しており、各機器に送る制御信号の演算処理機能、制御信号の入出力処理機能、及び通信処理機能が付与されている。これによって、かご側制御装置１５や図示しない乗り場制御装置等の周辺機器を制御する。乗り場には乗り場釦１９が備えられており、この乗り場ボタン１９の操作によって乗りかご１１を乗り場階へ呼び寄せることができるものである。
【００２２】
主制御装置１７は利用者データベース１８と接続されており、この利用者データベース１８には利用者毎の各種情報が記憶されている。利用者毎の情報には少なくとも利用者の個別認証用の認証コードが含まれている。この他に、利用者の所属会社、氏名、年齢、性別、利用許可階、体重（Ｋｇ）、エレベータ装置の使用ログ記録等が必要に応じて記憶されている。もちろん、これ以外の情報を記憶するようにしても良いことは言うまでもない。主制御装置１７と利用者データベース１８は複数の乗りかご１１を運行管理するエレベータ用サーバとして機能する。
【００２３】
乗りかご１１内には、乗りかご１１に乗り込んできた利用客ＰＳの携帯する利用者用ＲＦＩＤタグ２１、及び携帯物に付与された携帯物用ＲＦＩＤタグ２２のＲＦＩＤタグ情報を読み出すＲＦＩＤタグ情報リード手段２０が設置されており、ＲＦＩＤタグ情報はかご側制御装置１５、テールコード１６を介して主制御装置１７に転送される構成となっている。
【００２４】
利用者用ＲＦＩＤタグ２１は利用者のネームプレートや社員証等のカードに貼り付けられているもので、利用者ＰＳの首に紐によって吊り下げられる形態をとっている。利用者用ＲＦＩＤタグ１２の情報は、少なくとも利用者の認証情報である認証コードとその認証コードに該当する利用者の扉開閉制御情報が書き込まれている。その他、氏名／年齢／性別／利用許可階／体重（Ｋｇ）、エレベータ装置の使用ログ記録やエレベータ装置の制御情報を書き込んでも良いものである。
【００２５】
携帯物用ＲＦＩＤタグ２２は利用者の携帯物に貼り付け等の方法によって付与されるものであり、少なくとも利用者の所有物であることを示す利用者認証情報である利用者認証コードと携帯物であることを示す携帯物情報が書き込まれている。これによって、利用者の携帯物であることが認証できものである。更には携帯物の種類、例えば傘、ノート、コンピュータ等の種類を表す情報を書き込んでも良いものである。
【００２６】
ここで、図１では２つの光景を示している。１つは、エントランス階で利用者用ＲＦＩＤタグ２１を有した利用者が携帯物を表す携帯物用ＲＦＩＤタグ２２を付与された携帯物を携帯して乗りかごに乗り込む場合である。もう１つは、所用を済ました後のエントランス階以外の階で乗りかごに乗り込む場合である。この場合は携帯物を持ち帰るのを忘れてしまって、携帯物用ＲＦＩＤタグ２２Ａを付与した携帯物を携帯せずに乗りかごに利用者が乗り込んでいる状態である。
【００２７】
次に、かご側制御装置１５と主制御装置１７よりなる制御装置の制御機能を簡単に説明する。図２に示すように主制御装置１７はマイクロコンピュータで実行される制御機能部が構築されている。マイクロコンピュータは、制御プログラムに基づいて各種の制御演算を実行する演算部、制御プログラム、制御定数等を記憶しているＲＯＭ領域と制御演算のワーキングエリアとしてのＲＡＭ領域等から成る記憶部、及びかご側制御装置１５から転送されてくる釦信号、センサ信号の入力とかご側制御装置１５への出力を行う入出力回路部を備えている。マイクロコンピュータの構成は良く知られているので、これ以上の説明は省略する。
【００２８】
そして、主制御装置１７にはエレベータ装置を運転制御するためのエレベータ運転制御機能部１７ｃが備えられ、このエレベータ運転制御機能部１７ｃは巻上機用電動機１３、扉開閉電動機１４等を制御し、乗り場釦１９及び図示しない乗りかご釦の登録状態に応じて、乗りかご１を昇降させ、開閉扉を開閉する機能を備えている。
【００２９】
また、主制御装置１７は、乗りかご１１内で読み込まれた利用者と携帯物のＲＦＩＤタグ情報を利用者データベース１８へ格納する制御を実行するＲＦＩＤタグ情報記憶制御機能部１７ａが備えられている。このＲＦＩＤタグ情報記憶制御機能部１７ａはかご側制御装置１５から転送されてきたＲＦＩＤタグ情報を一時的に記憶する機能の他に、利用者データベース１８の対応する利用者の記憶領域にＲＦＩＤタグ情報を転送する機能を有している。
【００３０】
更に、利用者のエントランス階での乗り込み時に記憶したＲＦＩＤタグ情報を利用者データベース１８から読み出し、同一の利用者がエントランス階以外の階で乗り込んだ時のＲＦＩＤタグ情報と比較し、不一致の場合は携帯物の持ち帰りを失念しているとして判定するＲＦＩＤ情報判定機能部７ｂが備えられている。このＲＦＩＤタグ情報判定機能部１７ｂの判定情報はエレベータ運転制御機能部１７ｃへ転送され、エレベータ運転制御機能部１７ｃはかご側制御装置１５に判定情報信号を出力する。
【００３１】
かご側制御装置１５もマイクロコンピュータで実行される制御機能部が構築されている。このマイクロコンピュータも制御プログラムに基づいて各種の制御演算を実行する演算部、制御プログラム、制御定数等を記憶しているＲＯＭ領域と制御演算のワーキングエリアとしてのＲＡＭ領域等から成る記憶部、及び主制御装置１７からの制御信号の入力と主制御装置１７へのＲＦＩＤタグ情報や各電動機、放送機器等への出力を行う入出力回路部を備えている。
【００３２】
そして、かご側制御装置１５には、エレベータ運転制御機能部１７ｃの扉開閉指令に応じて扉開閉電動機１４を駆動して開閉扉の開閉を行なう開閉扉制御機能部１５ａと、エレベータ運転制御機能部１７ｃからの指令よって巻上機用電動機１３を駆動して乗りかご１１を昇降させ、更に照明、信号灯、放送等の出力を行なう乗りかご制御機能部１５ｂとが備えられている。
【００３３】
また、乗りかご１１に設置したＲＦＩＤ情報リード手段２０からの信号を受け、利用者の認証情報や携帯物の利用者認証情報、携帯物情報を読み出して主制御装置１７に転送するＲＦＩＤタグ情報読み込み機能部１５ｃが備えられている。
【００３４】
以上のようなエレベータ装置において、次に具体的な制御フローの動作について説明する。本実施例ではエントランス階で管理対象とする利用者が乗りかご１１に乗り込むことを前提とした場合である。例えば、利用者が出張で関係する事業所を訪問してエントランス階から所定階に移動し、所定階で所用を済ました後に再びエントランス階に戻る場合を想定している。したがって、利用者及び携帯物のＲＦＩＤタグ情報はエントランス階で読み取ったＲＦＩＤタグ情報が基準となる。
【００３５】
尚、本実施例では利用者ＲＦＩＤタグ２１を有していない利用者による乗りかご１１の利用は対象外として説明を省略する。例えば、最初の処理ステップで利用者ＲＦＩＤタグ２１のＲＦＩＤタグ情報を検出しなかった場合は、そのままエンドに抜けて制御フローを実行しないという制御ステップを付加すれば良い。したがって、以下では利用者ＲＦＩＤタグ２１を有した利用者の制御フローについて説明する。
【００３６】
図３のステップＳ１１において、乗りかご１１がエントランス階に停車しているかどうかを判断する。エントランス階に停車していない場合はエントランス階より上階の階にいるとしてエンドに抜ける。尚、エントランス階が１階でない場合もあるので、この場合はその階をエントランス階と見做して処理を行えば良いものである。
【００３７】
一方、ステップＳ１１でエントランス階に停車中と判断されると、ステップＳ１２に進むことになる。ステップＳ１２において利用者が乗りかご１１内に乗り込むと、乗りかご１１内に設置したＲＦＩＤタグ情報リード手段２０によって、利用者用ＲＦＩＤタグ２１から利用者本人の認証コードと、携帯物用ＲＦＩＤタグ２２から利用者認証コード及び携帯物であることを示す携帯物情報の読み出しを実行する。このように、利用者用ＲＦＩＤタグ２１の認証コードと携帯物用ＲＦＩＤタグ２２から利用者認証コードを読み出すことによって、利用者本人が自身の携帯物を携帯していることが判断できる。また、携帯物用ＲＦＩＤタグ２２が付与されていない携帯物を持っている場合、或いは携帯物そのものを携帯していない場合は、携帯物用ＲＦＩＤタグ２２のＲＦＩＤタグ情報がない旨の情報を設定する。
【００３８】
ステップＳ１２で、利用者用ＲＦＩＤタグ２１と携帯物用ＲＦＩＤタグ２２の読み出しが終了するとステップＳ１３に進み、携帯物ＲＦＩＤタグ２２のＲＦＩＤタグ情報があるかどうかが判断される。携帯物ＲＦＩＤタグ２２のＲＦＩＤタグ情報がない場合は再びステップＳ１１に戻って同じ処理ステップを実行する。この場合は、利用者が管理したい携帯物を携帯していないとして最初の処理ステップに戻るようにしている。
【００３９】
一方、このステップＳ１３で、携帯物用ＲＦＩＤ２２のＲＦＩＤタグ情報があると判断されると、管理すべき携帯物を携帯した利用者が乗り込んだと判断してステップＳ１４に進むことになる。このステップＳ１４では、利用者が管理すべき携帯物を携帯しているので携帯物の管理を実行することになる。
【００４０】
ステップＳ１４では、利用者用ＲＦＩＤタグ２１と携帯物用ＲＦＩＤタグ２２のＲＦＩＤタグ情報を利用者データベース１８の記憶領域に転送して記憶する。この場合は利用者用ＲＦＩＤタグ２１の認証コードと携帯物用ＲＦＩＤタグ２２の利用者認証コードは、それぞれ利用者用ＲＦＩＤタグ２１による認証コードと、携帯物用ＲＦＩＤタグ２２による利用者認証コードと区別されている。これによって、２つの認証コードの存在によって利用者本人が携帯物を携帯して乗りかご１１に乗り込んだことが判断できる。
【００４１】
利用者データベース１８の記憶領域は予め利用者毎に割り付けておき、対応する利用者の利用者用ＲＦＩＤタグ２１と携帯物用ＲＦＩＤタグ２２のＲＦＩＤタグ情報を記憶するように決められている。ただ、記憶領域を予め決めることなく、利用者が乗りかご１１に乗り込む毎に新しい記憶領域を設定して更新していくフリー記憶領域としても良いものである。
【００４２】
以上の処理によって、利用者が会議等の所用でエントランス階から異なった階に出向くときに、利用者が携帯物を携帯していることを利用者データベースに記憶させて管理することが可能となる。
【００４３】
次に、利用者が会議等の所用が終了してエントランス階以外の階から乗りかご１１に乗り込む場合の処理について説明する。
【００４４】
図４のステップＳ２１において、乗りかご１１がエントランス階以外に停車しているかどうかを判断する。エントランス階以外に停車していない場合はエンドに抜ける。
【００４５】
一方、ステップＳ２１でエントランス階以外に停車中と判断されるとステップＳ２２に進むことになる。ステップＳ２２において利用者が乗りかご１１内に乗り込むと、図３と同様に、乗りかご１１内に設置したＲＦＩＤタグ情報リード手段２０によって、利用者用ＲＦＩＤタグ２１から利用者の認証コードと、携帯物用ＲＦＩＤタグ２２から利用者認証コードと携帯物であることを示す携帯物情報の読み出しを実行する。
【００４６】
ステップＳ２２で利用者用ＲＦＩＤタグ２１と携帯物用ＲＦＩＤタグ２２の読み出しが終了すると、ステップＳ２３に進んで読み出されたＲＦＩＤタグ情報はＲＦＩＤタグ情報記憶機能部１７aの記憶部に一時的に記憶される。これは通常ＲＡＭ領域が使用される。また、ステップＳ２３では、図３の制御フローによって利用者データベース１８に記憶されたエントランス階での乗り込み時に記憶された利用者用ＲＦＩＤタグ２１のＲＦＩＤタグ情報と携帯物用ＲＦＩＤタグ２２のＲＦＩＤタグ情報とが読み出され、ＲＦＩＤタグ情報記憶機能部１７aの記憶部に一時的に記憶される。
【００４７】
次に、ステップＳ２４では、エントランス階で記憶された携帯物用ＲＦＩＤタグ２２のＲＦＩＤタグ情報と、今回のエントランス階以外で読み取られた携帯物用ＲＦＩＤタグ２２のＲＦＩＤタグ情報の一致比較を行う。この比較によって記憶された携帯物のＲＦＩＤタグ情報と、新しく読み取られた携帯物のＲＦＩＤタグ情報が一致すると、携帯物の持ち帰りの失念がないとしてエンドに抜けるものである。尚、このステップＳ２４では、利用者用ＲＦＩＤタグ２１の認証コードの一致比較が行われていることは言うまでもない。
【００４８】
一方、記憶された携帯物ＲＦＩＤタグ２２のＲＦＩＤタグ情報と、新しく読み取られた携帯物ＲＦＩＤタグ２２のＲＦＩＤタグ情報が一致しないと、携帯物の持ち帰りの失念があったとしてステップＳ２５に進むことになる。ここで、携帯物ＲＦＩＤタグ２２のＲＦＩＤタグ情報と、新しく読み取られた携帯物ＲＦＩＤタグ２２のＲＦＩＤタグ情報の比較は、単なる一致比較の他に、携帯物の種類の情報が読みとられる構成にしていると種類毎の比較が可能となり、持ち帰りを失念した携帯物の種類を特定することができる。
【００４９】
ステップＳ２５では、乗りかご１１の放送装置を利用して携帯物の持ち帰りの失念があることを利用者に報知し、更に開閉扉を開いた状態に維持して利用者が携帯物を取りに戻ることができるようにしている。ここで、携帯物の種類の情報が読み取られる構成にしていると種類毎の比較が可能となり、持ち帰りを失念した携帯物の種類を特定して放送することができる。例えば、「○○様、傘を忘れています。」といった報知が可能となる。これによれば、利用者はすぐに持ち帰りを失念した携帯物を思い出すことができ、更にサービス性を向上することができる。
【００５０】
このように本実施例によれば、利用者がエントランス階で乗りかごに乗り込む時に携帯物の携帯物情報を利用者データベースに記憶させ、利用者が所定階で降りて再び乗りかごに乗り込む時の携帯物の携帯物情報を利用者データベースに記憶された携帯物情報と比較し、比較結果が一致しないと携帯物の持ち帰りを失念したとして利用者に報知する構成とした。これによれば、利用者が携帯物の持ち帰りを失念している場合にそのことを利用者に報知することができ、これによって利用者は引き返して携帯物を持ち帰るという不要な行動をとらずに済むものである。
【実施例２】
【００５１】
実施例１では、利用者がエントランス階から乗りかごに乗り込んだことを条件に、携帯物の携帯物情報を利用者データベースに記憶されるようにしている。これに対して、第２の実施形態ではエントランス階を基準とするのではなく、第１の所定階から第２の所定階に移動したときにも携帯物の持ち帰りの失念を報知することができる方法を提案するものである。例えば、建築物に入居している利用者が別の階の会議室に出向いて会議を行い、会議が終了すると元の階に戻る場合を想定している。尚、基本的なやり方は実施例１と同様である。この実施例においても利用者ＲＦＩＤタグ２１を有していない利用者による乗りかご１１の利用は対象外として説明を省略する。
【００５２】
図５のステップＳ３１において、例えば、利用者の執務する部署が存在する第１の所定階で利用者が乗りかご１１内に乗り込むと、乗りかご１１内に設置したＲＦＩＤタグ情報リード手段２０によって、利用者用ＲＦＩＤタグ２１から利用者の認証コードと、携帯物用ＲＦＩＤタグ２２から利用者の利用者認証コードと携帯物であることを示す携帯物情報の読み出しを実行する。利用者用ＲＦＩＤタグ２１と携帯物用ＲＦＩＤタグ２２から利用者の認証コードを読み出すことによって、利用者が自身の携帯物を携帯していることを判断できる。このステップＳ３１は実施例１のステップＳ１２と同じ処理を行うものである。
【００５３】
次に、ステップＳ３２では利用者が乗りかご１１に乗り込む時の現在の階数（＝第１の所定階）と、現在の時刻を検出する。階数は主制御装置１７によって検出されているのでこの階数情報を使用すれば良く、また現在時刻も主制御装置１７によってタイムスタンプとして検出されているのでこの時刻情報を使用すれば良い。
【００５４】
ステップＳ３１、Ｓ３２で、利用者用ＲＦＩＤタグ２１と携帯物用ＲＦＩＤタグ２２のＲＦＩＤタグ情報の読み出し及び現在の階数と時刻の検出が終了するとステップＳ３３に進み、携帯物ＲＦＩＤタグ２２のＲＦＩＤタグ情報があるかどうかが判断される。携帯物ＲＦＩＤタグ２２のＲＦＩＤタグ情報がない場合は再びステップＳ３１に戻って同じ処理ステップを実行する。この場合も実施例１のステップＳ１３と同じ処理であり、利用者が管理したい携帯物を携帯していないとして最初の処理ステップに戻るようにしている。
【００５５】
一方、このステップＳ３２で、携帯物用ＲＦＩＤタグ２２のＲＦＩＤタグ情報があると判断されると、管理すべき携帯物を有する利用者が乗り込んだと判断してステップＳ３４に進むことになる。このステップＳ３４では、利用者用ＲＦＩＤタグ２１と携帯物用ＲＦＩＤタグ２２のＲＦＩＤタグ情報を利用者データベース１８の記憶領域に転送して記憶する。更に利用者が乗りかご１１に乗り込んだ時の階数と現在時刻も利用者の認証コードに関連付けて記憶される。したがって、利用者データベース１８によって、利用者が携帯している携帯物の管理を実行することになる。また、利用者がどの階数でいつごろ乗りかご１１を利用したかという管理を実行することになる。これによって、この後の階数と時刻の変化から利用者が所用を済まして乗りかご１１に再び乗り込んだことを判断できるようにしている。
【００５６】
次に、利用者が第２の所定階で乗りかご１１から降りて会議等の所用業務を終了し、第２の所定階から利用者の部署に帰るため乗りかご１１に再び乗り込む場合の処理について説明する。
【００５７】
図６のステップＳ４１において、利用者が乗りかご１１内に乗り込むと、図５と同様に、乗りかご１１内に設置したＲＦＩＤタグ情報リード手段２０によって、利用者用ＲＦＩＤタグ２１から利用者の認証コードと、携帯物用ＲＦＩＤタグ２２から利用者認証コードと携帯物であることを示す携帯物情報の読み出しを実行する。
【００５８】
ステップＳ４１で利用者用ＲＦＩＤタグ２１と携帯物用ＲＦＩＤタグ２２の読み出しが終了すると、ステップＳ４２で利用者が乗りかご１１に乗り込む時の、現在の階数（＝第２の所定階）と現在の時刻を検出する。現在の階数と時刻が検出されるとステップＳ４３に進み、利用者が第１の所定階で乗りかご１１に乗り込んだ時に記憶した階数と時刻を利用者データベースから読み出して比較する。そして、第１の所定階と第２の所定階が一致せず、また、現在時刻が所定時間（例えば１時間）以上だけ経過したと判断されるとステップＳ４４に進み、そうでないとステップＳ４１に戻るものである。
【００５９】
このような判断を行う理由は、利用者が携帯物を携帯して会議等に出席して所定の時間を経過した後に会議が終了し、この後に自身の部署に戻るときに比較的忘れ物をする場合が多いという事実に基づいている。尚、上述の所定時間の長さは任意であって、適切な時間が選ばれて設定されるものである。もちろん設定しないという選択肢もありえるものである。
【００６０】
次に、ステップＳ４４に進んで読み出されたＲＦＩＤタグ情報は、ＲＦＩＤタグ情報記憶機能部１７aの記憶部に一時的に記憶される。また、ステップＳ４４では、図５の制御フローによって利用者データベース１８に記憶された第１の所定階での乗り込み時に記憶された利用者用ＲＦＩＤタグ２１のＲＦＩＤタグ情報と携帯物用ＲＦＩＤタグ２２のＲＦＩＤタグ情報とが読み出され、ＲＦＩＤタグ情報記憶機能部１７aの記憶部に一時的に記憶される。
【００６１】
次に、ステップＳ４５では、第１の所定階で記憶された携帯物用ＲＦＩＤタグ２２のＲＦＩＤタグ情報と、第２の所定階で読み取られた携帯物用ＲＦＩＤタグ２２のＲＦＩＤタグ情報の一致比較を行う。この比較によって記憶された携帯物ＲＦＩＤタグ２２のＲＦＩＤタグ情報と、新しく読み取られた携帯物ＲＦＩＤタグ２２のＲＦＩＤタグ情報が一致すると、携帯物の持ち帰りの失念がないとしてエンドに抜けるものである。
【００６２】
一方、携帯物ＲＦＩＤタグ２２のＲＦＩＤタグ情報と、新しく読み取られた携帯物ＲＦＩＤタグ２２のＲＦＩＤタグ情報が一致しないと、携帯物の持ち帰りの失念があったとしてステップＳ４６に進むことになる。ステップＳ４６では、乗りかご１１の放送装置を利用して携帯物の持ち帰りの失念があることを利用者に報知し、更に開閉扉を開いた状態に維持して利用者が携帯物を取りに戻ることができるようにしている。ここで、実施例１と同様に、携帯物の種類の情報が読み取られる構成にしていると種類毎の比較が可能となり、持ち帰りを失念した携帯物の種類を特定して放送することができる。これによれば、利用者はすぐに持ち帰りを失念した携帯物を思い出すことができ、更にサービス性を向上することができる。
【００６３】
このように本実施例によれば、利用者が第１の所定階で乗りかごに乗り込む時に携帯物の携帯物情報を利用者データベースに記憶させ、利用者が所定階で降りて再び乗りかごに乗り込む時の携帯物の携帯物情報を利用者データベースに記憶された携帯物情報と比較し、比較結果が一致しないと携帯物の持ち帰りを失念したとして利用者に報知する構成とした。これによれば、利用者が携帯物の持ち帰りを失念している場合にそのことを利用者に報知することができ、これによって利用者は引き返して携帯物を持ち帰るという不要な行動をとらずに済むものである。
【００６４】
以上に説明した実施例１と実施例２においては、携帯物に付与する利用者の認証コードや携帯物情報はＲＦＩＤタグを使用しているが、バーコード等を印刷した貼着紙（所謂、バーコードシール等）を携帯物に貼り付けることでも同じことが可能である。この場合は乗りかごにバーコード等を読み取る光学式読み取り装置が設置されることになる。
【実施例３】
【００６５】
実施例１と実施例２は同一建築物のエレベータ用サーバを前提としている。しかしながら第３の実施形態では、異なった建築物に出向いたときにも実施例１や実施例２によって携帯物の持ち帰りの失念を報知することができる方法を提案するものである。
【００６６】
図７において、利用者が入居する建築物Ａに設置したエレベータ用サーバ２３と顧客が入居する建築物Ｂに設置したエレベータ用サーバ２４とが通信ケーブル２５によって接続されている。建築物Ａのエレベータ用サーバ２３には利用者データベース１８が構築されている。ただ、建築物Ｂのエレベータ用サーバ２４は利用者が利用するエレベータ用サーバでないので、利用者データベース１８は構築されていない。
【００６７】
そして、利用者が建築物Ｂに出向いて顧客の入居階に行くために乗りかごに乗り込むと、エレベータ用サーバ２４は読み取った利用者の利用者用ＲＦＩＤタグ２１と携帯物用ＲＦＩＤタグ２２のＲＦＩＤタグ情報や階数、現在時刻等の情報を、通信ケーブル２５を使用して建築物Ａのエレベータ用サーバ２３に転送する。エレベータ用サーバ２３は利用者データベース１８に対して、対応する利用者に割り付けた記憶領域に、転送されてきた利用者及び携帯物のＲＦＩＤタグ情報や階数、現在時刻を記憶する。
【００６８】
そして、利用者が顧客と打ち合わせして再び乗りかごに乗り込んだ時に、エレベータ用サーバ２４は新しく読み取った利用者の利用者用ＲＦＩＤタグ２１と携帯物用ＲＦＩＤタグ２２のＲＦＩＤタグ情報や階数、現在時刻等の情報を、通信ケーブル２５を使用して建築物Ａのエレベータ用サーバ２３に転送する。エレベータ用サーバ２３はこの転送されてきた情報と先に転送、記憶された情報を比較することによって携帯物の持ち帰りの失念がないかどうかを判断する。これらの処理は実施例１や実施例２の処理方法を用いて実行することができる。
【００６９】
エレベータ用サーバ２３によって携帯物の持ち帰りの失念があると判断されると、エレベータ用サーバ２３はこの失念情報をエレベータ用サーバ２４に転送し、エレベータ用サーバ２４はこれに基づいて建築物Ｂの乗りかごの放送機器を利用して携帯物の持ち帰りの失念があることを利用者に報知し、更に開閉扉を開いた状態に維持して利用者が携帯物を取りに戻ることができるようにしている。
【００７０】
ここで、エレベータ用サーバ２３とエレベータ用サーバ２４は通信処理や演算処理等の処理内容が相互に共通して実行できる方式のものが使用されている。このため上述した情報の演算処理や報知処理等が可能となるものである。尚、エレベータ用サーバ２３とエレベータ用サーバ２４の通信処理や演算処理等の処理内容が相互に異なる場合は、エレベータ用サーバ２３とエレベータ用サーバ２４の間にデータ変換機能部を介装することによって、上述した処理を実行できる構成にすることも可能である。
【００７１】
このように、本実施例では異なった建築物に出向いたときにも実施例１や実施例２によって携帯物の持ち帰りの失念を報知することができるものである。
【００７２】
以上いくつかの実施例によって明らかなように、本発明では利用者が乗りかごに乗り込む時に携帯物の携帯物情報を利用者データベースに記憶させ、利用者が所定階で降りて再び乗りかごに乗り込む時の携帯物の携帯物情報を利用者データベースに記憶された携帯物情報と比較し、比較結果が一致しないと携帯物の持ち帰りを失念したとして利用者に報知するものである。
【００７３】
これによれば、利用者が携帯物の持ち帰りを失念している場合にそのことを利用者に報知することができ、利用者は引き返して携帯物を持ち帰るという不要な行動をとらずに済むものである。
【符号の説明】
【００７４】
１０…昇降路、１１…乗りかご、１２…ロープ、１３…巻上機用電動機、１４…扉開閉電動機、１５…かご用制御回路、１６…テールコード、１７…制御盤、１８…利用者データベース、１９…乗り場釦、２０…ＲＦＩＤ情報リード手段、２１…利用者用ＲＦＩＤタグ、２２…携帯物用ＲＦＩＤタグ、２３、２４…エレベータ用サーバ。２５…通信ケーブル。
【図１】
2016030673.tif 000003
【図２】
2016030673.tif 000004
【図３】
2016030673.tif 000005
【図４】
2016030673.tif 000006
【図５】
2016030673.tif 000007
【図６】
2016030673.tif 000008
【図７】
2016030673.tif 000009